【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
薬剤払出事象の発生をユーザに知らせるシステムであって、
薬剤ディスペンサであって、薬剤払出事象が前記ディスペンサで発生したことを表す薬剤払出事象信号を生成する薬剤ディスペンサと、
ユーザ選択の事象タイプを記憶してよいメモリと、
メッセージ通信プロセッサであって、
薬剤払出事象信号を前記薬剤ディスペンサから受信し、
前記受信した薬剤払出事象信号と前記メモリ内の全てのユーザ選択の事象タイプとを比較し、
前記メッセージ通信プロセッサが受信した前記薬剤払出事象信号が前記メモリ内の或るユーザ選択の事象タイプに対応することを前記比較の結果が示す場合は前記薬剤払出事象が起こったことを知らせるメッセージをユーザに送信する、
メッセージ通信プロセッサと、
前記メッセージ通信プロセッサから前記メッセージを受信し、前記受信したメッセージを前記ユーザに伝える、前記ユーザが携帯するメッセージ通信装置と、
を備える薬剤払出事象の発生をユーザに知らせるシステム。
【請求項２】
前記メモリはユーザ選択のメッセージ・パラメータも記憶してよく、
前記メッセージ通信プロセッサは更に、
メモリ内の任意のユーザ選択のメッセージ・パラメータにアクセスし、
前記事象が起こったことを知らせるメッセージをユーザに送信し、前記メッセージは前記メモリ内にあるユーザ選択の事象タイプに従って与えられる、
請求項１記載の薬剤払出事象の発生をユーザに知らせるシステム。
【請求項３】
ユーザ選択の事象タイプは前記薬剤ディスペンサ内で利用可能な品物の識別を含む、請求項１記載の薬剤払出事象の発生をユーザに知らせるシステム。
【請求項４】
前記品物は前記薬剤ディスペンサ内で利用可能になったばかりの薬剤を含む、請求項３記載の薬剤払出事象の発生をユーザに知らせるシステム。
【請求項５】
前記ユーザ選択の事象タイプは、患者の退院、患者のための医療指示の発行、患者のための医療指示の変更、患者のための医療指示の中止、前記薬剤ディスペンサから取り出された品物の識別、払出装置内に保管されている品物と前記払出装置内に保管されているはずの品物との食違いの識別、払出装置での食違いの解決、または払出装置でのログイン失敗の識別を含む、請求項１記載の薬剤払出事象の発生をユーザに知らせるシステム。
【請求項６】
ユーザ選択のメッセージ・パラメータは患者名の識別を含む、請求項２記載の薬剤払出事象の発生をユーザに知らせるシステム。
【請求項７】
ユーザ選択のメッセージ・パラメータ・タイプは、
患者名、患者の場所、患者の年齢、患者の性別、医者名、または前記患者に投与すべき薬の記述を含む、
請求項２記載の薬剤払出事象の発生をユーザに知らせるシステム。
【請求項８】
前記メモリはユーザ選択のフィルタも記憶してよく、
前記メッセージ通信プロセッサは、
前記受信した薬剤払出事象信号と前記メモリ内の全てのユーザ選択のフィルタとを比較し、
前記メッセージ通信プロセッサが受信した前記薬剤払出事象信号が前記メモリ内に記憶されている任意のユーザ選択のメッセージ・フィルタを満足することを前記比較の結果が示す場合は前記事象が起こったことを知らせるメッセージをユーザに送信する、
請求項１記載の薬剤払出事象の発生をユーザに知らせるシステム。
【請求項９】
ユーザ選択のメッセージ・フィルタは前記ユーザにそのユーザの患者に関する事象だけを送信することを含む、請求項８記載の薬剤払出事象の発生をユーザに知らせるシステム。
【請求項１０】
前記メッセージ通信プロセッサは前記ディスペンサと一体である、請求項１記載の薬剤払出事象の発生をユーザに知らせるシステム。
【請求項１１】
前記メッセージ通信プロセッサは前記薬剤ディスペンサから離れた場所にあり、また前記薬剤ディスペンサのところにあって薬剤払出事象を検出して薬剤払出事象信号を前記薬剤ディスペンサから前記メッセージ通信プロセッサに与える第２のプロセッサを更に含む、請求項１記載の薬剤払出事象の発生をユーザに知らせるシステム。
【請求項１２】
前記メッセージ通信プロセッサは更に、
送信されたメッセージに対する応答を要求し、
所定の時間内に応答を受信しなかった場合は前記事象が起こったことを知らせる別のメッセージをユーザに送信する、
請求項１記載の薬剤払出事象の発生をユーザに知らせるシステム。
【請求項１３】
前記応答は前記薬剤ディスペンサが生成した事象を含む、請求項１２記載の薬剤払出事象の発生をユーザに知らせるシステム。
【請求項１４】
薬剤払出事象の発生をユーザに知らせる方法であって、
薬剤ディスペンサで薬剤払出事象が発生したことを表す薬剤払出事象信号を生成し、
ユーザ選択の事象タイプをメモリ内に記憶し、
薬剤払出事象信号を前記薬剤ディスペンサから受信し、
前記受信した薬剤払出事象信号と記憶されているユーザ選択の事象タイプとを比較し、
前記メッセージ通信プロセッサが受信した前記薬剤払出事象信号が前記メモリ内の或るユーザ選択の事象タイプに対応することを前記比較の結果が示す場合は、前記事象が起こったことを知らせるメッセージをユーザに送信し、
前記メッセージ通信プロセッサからのメッセージをユーザが携帯するメッセージ通信装置で受信し、
前記受信したメッセージを前記ユーザに伝える、
ことを含む、薬剤払出事象の発生をユーザに知らせる方法。
【請求項１５】
ユーザ選択の事象タイプを記憶することは前記メモリ内にユーザ選択のメッセージ・パラメータを記憶することも含み、また
前記メモリ内の任意のユーザ選択のメッセージ・パラメータにアクセスすることを更に含み、
前記事象が起こったことを知らせるメッセージをユーザに送信することはユーザ選択のメッセージ・パラメータに従って前記メッセージを与えることを含む、
請求項１４記載の薬剤払出事象の発生をユーザに知らせる方法。
【請求項１６】
ユーザ選択のメッセージ・パラメータに従って前記メッセージを与えることは前記薬剤ディスペンサ内で利用可能な品物の識別を前記メッセージ内に与えることを含む、請求項１４記載の薬剤払出事象の発生をユーザに知らせる方法。
【請求項１７】
ユーザ選択のメッセージ・パラメータに従って前記メッセージを与えることは前記薬剤ディスペンサ内で利用可能になったばかりの薬剤の識別を前記メッセージ内に与えることを含む、請求項１６記載の薬剤払出事象の発生をユーザに知らせる方法。
【請求項１８】
ユーザ選択の事象タイプに従って前記メッセージを与えることは前記薬剤ディスペンサから取り出した品物の識別を与えることを含む、請求項１４記載の薬剤払出事象の発生をユーザに知らせる方法。
【請求項１９】
患者特有の事象を記憶することは患者名の識別を記憶することを含む、請求項１５記載の薬剤払出事象の発生をユーザに知らせる方法。
【請求項２０】
ヘルスケア施設特有の事象記憶することは患者が居る部屋の識別を記憶することを含む、請求項１５記載の薬剤払出事象の発生をユーザに知らせる方法。
【請求項２１】
ユーザ選択の事象タイプをメモリ内に記憶することはユーザ選択のメッセージ・フィルタを記憶することも含み、
前記受信した薬剤払出事象信号と全ての記憶されているユーザ選択のメッセージ・フィルタとを比較することを更に含み、
前記受信した薬剤払出事象信号が前記メモリ内に記憶されている任意のユーザ選択のメッセージ・フィルタを満足することを前記比較が示す場合は前記薬剤払出事象が起こったことを知らせるメッセージをユーザに送信する、
請求項１４記載の薬剤払出事象の発生をユーザに知らせる方法。
【請求項２２】
ユーザ選択のメッセージ・フィルタを満足したときにメッセージを送信することは、そのユーザの患者に関する事象についてのメッセージだけをユーザに送信することを含む、請求項２１記載の薬剤払出事象の発生をユーザに知らせる方法。
【請求項２３】
前記受信した薬剤払出事象信号と記憶されているユーザ選択の事象タイプとを比較するのは薬剤ディスペンサで行う、請求項１４記載の薬剤払出事象の発生をユーザに知らせる方法。
【請求項２４】
前記受信した薬剤払出事象信号と記憶されているユーザ選択の事象タイプとを比較するのは前記薬剤ディスペンサから離れたところで行う、請求項１４記載の薬剤払出事象の発生をユーザに知らせる方法。
【請求項２５】
送信したメッセージに対する応答をユーザに要求し、また所定の時間内にユーザから応答を受信しない場合は前記事象が起こったことを知らせる別のメッセージをユーザに送信することを更に含む、請求項１４記載の薬剤払出事象の発生をユーザに知らせる方法。
【請求項２６】
薬剤払出事象の発生をユーザに知らせるシステムであって、
通信ネットワークに結合する自動薬剤ディスペンサであって、薬剤払出事象が前記ディスペンサで発生したことを表す薬剤払出事象信号を生成する薬剤ディスペンサと、
ユーザ選択の事象タイプ、ユーザ選択のメッセージ・パラメータ、およびユーザ選択のメッセージ・フィルタを記憶してよいメモリと、
メッセージ通信プロセッサであって、
前記薬剤払出事象信号を前記薬剤ディスペンサから受信し、
前記受信した薬剤払出事象信号と前記メモリ内のユーザ選択の事象タイプとを比較し、
前記メッセージ通信プロセッサが受信した前記薬剤払出事象信号が前記メモリ内の或るユーザ選択の事象タイプに対応することと前記事象がメモリ内に記憶されている或るメッセージ・フィルタを満たすこととを前記比較の結果が示す場合は、メモリ内に含まれるユーザ選択のメッセージ・パラメータに従って前記事象が起こったことを知らせるメッセージをユーザに送信する、
メッセージ通信プロセッサと、
前記メッセージ通信プロセッサから前記メッセージを受信し、前記受信したメッセージを前記ユーザに伝える、前記ユーザが携帯するメッセージ通信装置と、
を備える薬剤払出事象の発生をユーザに知らせるシステム。
【請求項２７】
ユーザ選択の事象タイプは前記薬剤ディスペンサ内で利用可能な品物の識別を含む、請求項２６記載の薬剤払出事象の発生をユーザに知らせるシステム。
【請求項２８】
前記メッセージ通信プロセッサは前記ディスペンサと一体である、請求項２６記載の薬剤払出事象の発生をユーザに知らせるシステム。
【請求項２９】
前記メッセージ通信プロセッサは前記薬剤ディスペンサから離れた場所にあり、また前記システムは前記薬剤ディスペンサのところにあって薬剤払出事象を検出して薬剤払出事象信号を前記薬剤ディスペンサから前記ネットワークを介して前記メッセージ通信プロセッサに与える第２のプロセッサを更に含む、請求項２６記載の薬剤払出事象の発生をユーザに知らせるシステム。